(57)【要約】【課題】使用者にとっての利便性の向上などを図ることができる排水栓装置を提供する。【解決手段】排水栓装置１は、底壁部１０１及び側壁部１０２を有し、側壁部１０２のうち底壁部１０１に連続する部位が底壁部１０１側から徐々に立ち上がる湾曲壁部１０２ａとされてなる浴槽１００に取付けられる。浴槽１００における底壁部１０１から湾曲壁部１０２ａにかけた部位又は湾曲壁部１０２ａのみには凹部１０５が設けられる。排水栓装置１は、凹部１０５に対応して配置されるとともに、排水時に水が流入する排水流入口２１を自身の変位により開閉可能な栓蓋６を備える。栓蓋６は、排水流入口２１が閉状態又は開状態であるときに、凹部１０５内に収容され、かつ、その上面が浴槽１００の表面に対し連続面状をなすとともに、外観上浴槽１００の表面の一部を構成した状態となるように構成される。【選択図】      図３
2020204199.tif 000002
【特許請求の範囲】
【請求項１】
底壁部及び当該底壁部の周縁に立設された側壁部を有し、当該側壁部のうち当該底壁部に連続する部位が当該底壁部側から徐々に立ち上がる湾曲壁部とされてなる槽体に取付けられる排水栓装置であって、
前記槽体における前記底壁部から前記湾曲壁部にかけた部位又は前記湾曲壁部のみには、窪み状の凹部が設けられており、
前記凹部に対応して配置されるとともに、前記槽体に対し変位可能であり、かつ、前記凹部内に設けられ前記槽体からの排水時に水が流入する排水流入口を自身の変位により開閉可能な栓蓋を備え、
前記栓蓋は、前記排水流入口が閉状態又は開状態であるときに、前記凹部内に収容され、かつ、その上面が前記槽体の表面に対し連続面状をなすとともに、外観上前記槽体の表面の一部を構成した状態となるように構成されていることを特徴とする排水栓装置。
【請求項２】
前記排水流入口は、これを正面から見たときに、前記側壁部の幅方向を横方向として、縦方向よりも横方向が長い横長形状をなしており、
前記栓蓋は、前記排水流入口の形状に対応する横長形状とされることを特徴とする請求項１に記載の排水栓装置。
【請求項３】
所定の支持部を有するとともに、前記槽体に対し直接又は間接的に固定された台座部と、
前記栓蓋を正面から見たときに当該栓蓋の裏側に位置するとともに、往復移動可能に構成された作動軸とを備え、
前記栓蓋は、前記支持部に対し回動可能な状態で取付けられ、前記作動軸の移動に伴い回動するように構成されており、
前記栓蓋が回動することで前記排水流入口の開閉状態が切換えられるとともに、前記排水流入口が開状態及び閉状態の少なくとも一方であるときに前記栓蓋が鉛直方向に対し斜めに傾いた状態となるように構成されていることを特徴とする請求項１又は２に記載の排水栓装置。
【請求項４】
前記栓蓋は、その回動軸が前記側壁部の幅方向に沿って延びるものとされ、かつ、当該側壁部とは反対側を回動中心として回動可能に構成されていることを特徴とする請求項３に記載の排水栓装置。
【発明の詳細な説明】
【技術分野】
【０００１】
本発明は、槽体の水が流入する排水流入口を開閉するための排水栓装置に関する。
【背景技術】
【０００２】
従来、栓蓋を遠隔操作することで、槽体（例えば、浴槽や洗面ボウルなど）の底側に設けられた、排水時に水が流入する排水流入口の開閉状態を切換可能な排水栓装置が知られている。
【０００３】
排水栓装置としては、往復移動可能であるとともに、先端部に前記栓蓋が取付けられた作動軸と、変位可能な操作部（例えば操作ボタン）と、当該操作部の変位による駆動力を作動軸ひいては栓蓋へと伝達するための伝達部材（例えばワイヤ等）とを備えたものが一般に知られている。このような排水栓装置では、操作部に対する操作に伴い伝達部材が往復移動し、作動軸及び栓蓋が上下動することで、排水流入口の開閉状態が切換えられるようになっている。また、槽体は、底壁部及び当該底壁部の周縁に立設された側壁部を備えるところ、従来、上記のような排水栓装置における栓蓋や排水流入口は、底壁部に対応して設けられるようになっている（例えば、特許文献１等参照）。
【先行技術文献】
【特許文献】
【０００４】
【特許文献１】特開２０１５−７１８９６号公報
【発明の概要】
【発明が解決しようとする課題】
【０００５】
しかしながら、底壁部に対応して栓蓋や排水流入口を設けると、次のような不具合が生じ得る。すなわち、使用者にとって栓蓋が邪魔になりやすくなり、例えば、槽体に“もの” （例えば持ち運び可能な洗面器など）を置く場合などに不便となるおそれがある。また、槽体が浴槽である場合には、栓蓋の踏み付けが発生しやすくなり、踏み付けによる栓蓋などの破損や変形などが生じ得る。さらに、槽体が浴槽である場合には、排水流入口に対応して設けられる部品（例えば、排水を通すための配管など）が、当該部品の設置やメンテナンス等を行う作業者側（浴槽の外側における前記部品の設置箇所の近く側であり、例えば排水流入口が洗い場近くにある場合は洗い場側）から見て離れた位置に配置されることになり、当該部品の設置やメンテナンス等に係る作業性が低下するおそれがある。
【０００６】
本発明は、上記事情に鑑みてなされたものであり、その目的は、使用者にとっての利便性の向上などを図ることができる排水栓装置を提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．底壁部及び当該底壁部の周縁に立設された側壁部を有し、当該側壁部のうち当該底壁部に連続する部位が当該底壁部側から徐々に立ち上がる湾曲壁部とされてなる槽体に取付けられる排水栓装置であって、
前記槽体における前記底壁部から前記湾曲壁部にかけた部位又は前記湾曲壁部のみには、窪み状の凹部が設けられており、
前記凹部に対応して配置されるとともに、前記槽体に対し変位可能であり、かつ、前記凹部内に設けられ前記槽体からの排水時に水が流入する排水流入口を自身の変位により開閉可能な栓蓋を備え、
前記栓蓋は、前記排水流入口が閉状態又は開状態であるときに、前記凹部内に収容され、かつ、その上面が前記槽体の表面に対し連続面状をなすとともに、外観上前記槽体の表面の一部を構成した状態となるように構成されていることを特徴とする排水栓装置。
【０００９】
尚、「連続面状をなす」とあるのは、厳密な連続面となる場合のみならず、槽体の表面と栓蓋の上面との間に多少の段差や凹み、隙間などが存在し、両面がほぼ連続面となる場合も含む。また、「その上面（栓蓋の上面）が、…外観上槽体の表面の一部を構成した状態となる」とあるのは、より詳しくは、栓蓋の上面形状がその周囲に位置する槽体の表面に対応する形状とされ、栓蓋の上面が槽体の表面に対し一体感のある状態となっていることをいう。
【００１０】
上記手段１によれば、槽体における底壁部から側壁部（湾曲壁部）にかけての部位又は湾曲壁部のみに凹部が設けられており、当該凹部内に排水流入口が設けられるとともに、当該凹部に対応して、排水流入口を開閉するための栓蓋が設置されている。従って、栓蓋をいわば側壁部（湾曲壁部）に入り込ませた状態で設置することができる。これにより、使用者にとって栓蓋が邪魔になりにくい状態とすることができ、例えば、槽体に“もの” （例えば持ち運び可能な洗面器など）を置く場合などに都合がよくなる。また、より優れた美観を得ることも可能となる。さらに、槽体が浴槽である場合には、栓蓋の踏み付けをより確実に防止することができ、踏み付けによる栓蓋などの破損や変形などをより確実に防止できる。加えて、槽体が浴槽である場合、排水流入口に対応して設けられる配管などの部品を作業者側（例えば洗い場側）から見てより手前側に配置させることが可能となり、当該部品の設置やメンテナンス等に係る作業性を向上させることができる。併せて、槽体が洗面ボウル（洗面器）であり、排水流入口が使用者側から見て奥側又は左右側に位置する場合には、洗面ボウルの下に位置し排水流入口に対応して設けられる配管などの部品を洗面ボウル下のスペースにおいてより邪魔となりにくい位置に配置することができ、ひいては当該スペースをより有効的に活用することができる。
【００１１】
また、上記手段１によれば、栓蓋は、排水流入口が閉状態又は開状態であるときに、凹部内に収容され、かつ、その上面が槽体の表面に対し連続面状をなすとともに、外観上槽体の表面の一部を構成した状態となるように構成されている。これにより、非常に良好な美観を実現することができるとともに、優れた安全性を得ることができる。
【００１２】
尚、通常排水流入口を閉鎖した状態で使用される槽体（例えば、水を溜めて使用することが多い浴槽など）では、排水流入口が閉状態であるときに、栓蓋が上記の状態となるように構成することが好ましく、通常排水流入口を開放した状態で使用される槽体（例えば、洗面ボウルや水を溜めずに使用することが多い浴槽など）では、排水流入口が開状態であるときに、栓蓋が上記の状態となるように構成することが好ましい。
【００１３】
手段２．前記排水流入口は、これを正面から見たときに、前記側壁部の幅方向を横方向として、縦方向よりも横方向が長い横長形状をなしており、
前記栓蓋は、前記排水流入口の形状に対応する横長形状とされることを特徴とする手段１に記載の排水栓装置。
【００１４】
尚、「側壁部の幅方向」とは、換言すれば、平面視したとき（上方から見たとき）における側壁部の延びる方向をいう。
【００１５】
上記手段２によれば、排水流入口の通水面積を大きなものとして排水能力の増大を図りつつ、排水流入口や栓蓋を円形状とした場合と比較して、排水流入口や栓蓋をスリムな見た目とすることができ、栓蓋等が目立つ存在とはなりにくい状態とすることができる。また、排水流入口を横長形状とすることによって、排水流入口を円形状とした場合と比較して、排水流入口の通水面積を増大させつつ、排水流入口に対する“もの”（例えば容器や固形石鹸など）の落下が生じにくくなる。これらの結果、排水流入口における通水面積を増大させて排水能力の向上を図りつつ、美観や利便性の低下をより確実に抑えることができる。
【００１６】
さらに、上記手段２によれば、栓蓋をいわば側壁部（湾曲壁部）に入り込ませた状態で設置できることと相俟って、栓蓋が槽体の底壁部中心側へとより張り出さないようにすることができる。これにより、使用者にとって栓蓋がより邪魔となりにくくなり、槽体に“もの”を置く場合等においてより好都合となる。また、美観の一層の向上を図ることができるとともに、槽体が浴槽である場合には、栓蓋の踏み付けを一層確実に防ぐことが可能となる。加えて、槽体が浴槽である場合、排水流入口に対応して設けられる配管などの部品を作業者側（例えば洗い場側）から見て一層手前側に配置させることができ、当該部品の設置やメンテナンス等に係る作業性をより高めることができる。
【００１７】
手段３．所定の支持部を有するとともに、前記槽体に対し直接又は間接的に固定された台座部と、
前記栓蓋を正面から見たときに当該栓蓋の裏側に位置するとともに、往復移動可能に構成された作動軸とを備え、
前記栓蓋は、前記支持部に対し回動可能な状態で取付けられ、前記作動軸の移動に伴い回動するように構成されており、
前記栓蓋が回動することで前記排水流入口の開閉状態が切換えられるとともに、前記排水流入口が開状態及び閉状態の少なくとも一方であるときに前記栓蓋が鉛直方向に対し斜めに傾いた状態となるように構成されていることを特徴とする手段１又は２に記載の排水栓装置。
【００１８】
上記手段１のように、栓蓋の上面が外観上槽体の表面の一部を構成した状態とするためには、栓蓋の上面を槽体の表面形状に対応する（合わせた）形状とする必要がある。そのため、栓蓋の上面形状は、一般的な栓蓋のような上に凸の湾曲面状とは通常なり得ず、一般的な栓蓋よりも水の残留がより生じやすい形状となり得る。栓蓋の上面に水が残留しやすい場合、栓蓋上面に対する水垢や汚れなどの付着がより生じやすくなる。
【００１９】
この点、上記手段３によれば、栓蓋は作動軸の移動に伴い回動するものとされ、排水流入口が開状態及び閉状態の少なくとも一方であるときに、栓蓋が鉛直方向に対し斜めに傾いた状態（すなわち栓蓋の上面が水平方向に対し斜めに傾いた状態）となるように構成されている。栓蓋が鉛直方向に対し斜めに傾いた状態となることで、栓蓋の上面に付着した水が当該上面を伝わって流れ落ちることとなるため、栓蓋の上面における水の残留をより確実に防止することができる。これにより、栓蓋の上面を槽体の表面形状に対応する形状としながら、栓蓋の上面に対する水垢や汚れなどの付着をより確実に防ぐことができ、美観や衛生性の向上を図ることができる。
【００２０】
尚、栓蓋の上面における残水防止をより効果的に図るという点では、排水流入口が開状態であるときに、栓蓋が鉛直方向に対し斜めに傾いた状態となるように構成することが好ましい。
【００２１】
手段４．前記栓蓋は、その回動軸が前記側壁部の幅方向に沿って延びるものとされ、かつ、当該側壁部とは反対側を回動中心として回動可能に構成されていることを特徴とする手段３に記載の排水栓装置。
【００２２】
上記手段４によれば、栓蓋は、その回動軸が側壁部の幅方向に沿って延びるものとされ、かつ、側壁部とは反対側を回動中心として回動するものとされている。従って、槽体における底壁部の中心側から見たときに、排水流入口が開状態であっても閉状態であっても、栓蓋によって排水流入口やその周辺部位を隠した状態とすることができる。これにより、汚れなどの付着しやすい排水流入口の形成部位やその周辺部位を使用者が視認しにくい状態とすることができ、美観の向上をより一層図ることができる。
【００２３】
さらに、回動に伴い栓蓋における回動軸とは反対側の部位が凹部の外に出るように構成した場合、槽体の底壁部の中心側から見たときに、凹部（特に栓蓋が外に出た箇所）との間に栓蓋が配置される状態となる。そのため、栓蓋によって、槽体の底壁部の中心部側つまり使用者の位置する側から凹部ひいては排水流入口へと“もの”が落下することをより確実に防止できる。また、槽体が浴槽である場合には、栓蓋によって、凹部に対する足（例えば足の指）の入り込みをより確実に防ぐことが可能となり、安全性を一層高めることができる。
【図面の簡単な説明】
【００２４】
【図１】排水流入口を閉状態としたときにおける排水栓装置などの斜視図である。
【図２】浴槽の断面模式図である。
【図３】排水流入口を閉状態としたときにおける図１のＪ−Ｊ線断面図である。
【図４】排水流入口を開状態としたときにおける図１のＪ−Ｊ線断面図である。
【図５】排水流入口を開状態としたときにおける図１のＫ−Ｋ線断面図である。
【図６】排水流入口を開状態としたときにおける図１のＬ−Ｌ線断面図である。
【発明を実施するための形態】
【００２５】
以下に、一実施形態について図面を参照しつつ説明する。排水栓装置１は、槽体としての浴槽１００からの排水の可否を切換えるための装置であり、図１及び図２に示すように、浴槽１００における底壁部１０１から側壁部１０２にかけた部位に設けられている。排水栓装置１の説明に先立って、まず、浴槽１００の構成について説明する。
【００２６】
底壁部１０１は、浴槽１００の底面を構成する部位であり、その上面がほぼ水平面状をなすように構成されている。側壁部１０２は、底壁部１０１の周縁に立設された部位であり、湾曲壁部１０２ａ及び傾斜壁部１０２ｂを備えている。湾曲壁部１０２ａは、底壁部１０１に連続し、当該底壁部１０１から徐々に立ち上がるように構成された湾曲部位である。傾斜壁部１０２ｂは、湾曲壁部１０２ａの上端に連続し、鉛直方向に対しやや傾いた形状をなす傾斜部位である。
【００２７】
さらに、図３に示すように、浴槽１００における底壁部１０１から湾曲壁部１０２ａにかけた部位には、ほぼ鉛直方向に垂下する垂下部１０３と、当該垂下部１０３の下端部から内側に突出する内鍔状の張出部１０４とが設けられている。そして、垂下部１０３により囲まれた空間によって、浴槽１００における底壁部１０１から湾曲壁部１０２ａにかけた部位には、窪み状の凹部１０５が形成されている。本実施形態において、平面視したときにおける凹部１０５の形状は、横方向に延びる平行な２本の長辺と、これら二本の長辺の端部同士を結ぶ平行な２本の短辺とを備えた角丸矩形と同一の形状とされている。尚、横方向とは、側壁部１０２の幅方向（すなわち平面視したときにおける側壁部１０２の延びる方向）をいう（図１参照）。
【００２８】
また、張出部１０４には、後述する排水口部材２等をねじ止め固定するための孔部１０４ａが一対貫通形成されている（図６参照）。さらに、張出部１０４の内周には、浴槽１００を貫通する取付孔１０６が形成されている。取付孔１０６は、排水栓装置１が挿通設置される箇所である。本実施形態において、平面視したときにおける取付孔１０６の形状は、長円形状とされている。
【００２９】
尚、本実施形態では、浴槽１００における排水栓装置１が設置される側に隣接するようにして、図示しない洗い場が設けられている。
【００３０】
次いで、排水栓装置１について説明する。排水栓装置１は、図３〜６に示すように、排水口部材２、配管３、作動軸機構４、台座部５及び栓蓋６を備えている。尚、図３は、後述する排水流入口２１を閉状態としたときにおける図１のＪ−Ｊ線断面図であり、図４は、排水流入口２１を開状態としたときにおける図１のＪ−Ｊ線断面図である。また、図５は、排水流入口２１を開状態としたときにおける図１のＫ−Ｋ線断面図であり、図６は、排水流入口２１を開状態としたときにおける図１のＬ−Ｌ線断面図である。
【００３１】
排水口部材２は、取付孔１０６に挿通された状態で設置される筒状部品である。排水口部材２における内部空間は、浴槽１００から排出される水の流路を構成しており、排水口部材２における内側の開口によって、浴槽１００からの排水時に水が流入する排水流入口２１が形成されている。排水流入口２１は、凹部１０５内に設けられており、これを正面から見たとき（本実施形態では、平面視したとき）、縦方向よりも横方向が長い横長形状（本実施形態では、長円形状）とされている。すなわち、排水流入口２１は、側壁部１０２の幅方向に沿って延びる横長形状とされている。
【００３２】
また、排水口部材２は、本体部２２及び鍔部２３を備えている。本体部２２は、取付孔１０６の形状に対応する横長の長円筒状をなしている。つまり、本体部２２は、横方向に延びて相対向する比較的長い平行な２つの長板状部分と、これら長板状部分の端部同士を連結する湾曲板状部分とを備えた形状となっている。
【００３３】
鍔部２３は、本体部２２の上端部から外側に突出しており、その外縁部は、垂下部１０３の内周形状よりも一回り小さい程度の角丸矩形状となっている。また、鍔部２３における前記孔部１０４ａに対応する箇所のそれぞれには、貫通孔２３ａ（図６参照）が形成されている。
【００３４】
配管３は、筒状をなしており、排水口部材２とともに、排水流入口２１を通過して流れる排水の流路を構成する部位である。また、配管３の一端面であって、前記孔部１０４ａに対応する箇所のそれぞれには、内周に雌ねじ部を有する窪み状のねじ穴部３１（図６参照）が形成されている。そして、取付孔１０６及び配管３内に排水口部材２を挿通した状態で、外周に雄ねじを有する所定のねじ８（図６参照）を貫通孔２３ａ及び孔部１０４ａを通してねじ穴部３１に螺合し、鍔部２３及び配管３の上端面により張出部１０４を挟み込んだ状態とすることで、排水口部材２及び配管３が接続されるとともに、両者が浴槽１００に取付けられた状態となっている。
【００３５】
尚、本実施形態において、張出部１０４の上面と鍔部２３との間には、弾性変形可能な材料（例えば、樹脂やゴム等）により形成された環状のシール部材９が配置されており、また、配管３の上端面と張出部１０４の裏面との間には、同様に弾性変形可能な材料により形成された環状のシール部材１０が配置されている。これらシール部材９，１０によって、排水口部材２及び配管３と浴槽１００との間からの漏水防止が図られている。尚、これらシール部材９，１０も、前記孔部１０４ａに対応する箇所に孔を有している。
【００３６】
作動軸機構４は、排水口部材２及び配管３の内部（すなわち排水の流路）に配置されており、栓蓋６を移動させる機能を有する。作動軸機構４は、ケース部４１、作動軸４２、回転リング４３及び付勢部４４を備えている。
【００３７】
ケース部４１は、作動軸４２及び付勢部４４を保持しつつ、排水口部材２の内周に取付けられることで、作動軸４２を栓蓋６の裏側に設置するための部品である。ケース部４１は、外環部４１ａ、連結部４１ｂ、保持部４１ｃ及び閉塞部４１ｄを備えている。
【００３８】
外環部４１ａは、排水口部材２に対する作動軸機構４の取付部として機能する部位である。外環部４１ａは、排水口部材２（本体部２２）の内周形状に対応する長円筒状をなしており、保持部４１ｃを間に置いて相対向し、かつ、横方向に延びる２つの長板状部分を備えた形状とされている。本実施形態では、外環部４１ａが排水口部材２の内周面に設けられた段差部分に載置されること等によって、排水口部材２に対し作動軸機構４が取付けられた状態となっている。尚、外環部４１ａを、配管３の内側に取付けるように構成してもよいし、排水口部材２から配管３にかけた両者の内側部分に取付けるように構成してもよい。
【００３９】
連結部４１ｂは、外環部４１ａの内周面と保持部４１ｃの外周面とを連結する部位である。本実施形態において、連結部４１ｂは、外環部４１ａにおける上述した各長板状部分と保持部４１ｃの外周面とを連結するようにして２本設けられている。尚、連結部４１ｂの数や形成位置等については適宜変更可能である。
【００４０】
保持部４１ｃ及び閉塞部４１ｄは、作動軸４２や付勢部４４を保持するためのものである。保持部４１ｃ及び閉塞部４１ｄはそれぞれ円筒状をなしており、保持部４１ｃの下端部開口を塞ぐようにして当該保持部４１ｃ内に閉塞部４１ｄが挿通設置された状態となっている。
【００４１】
また、保持部４１ｃの内周部には係合歯４１ｅ（図３，４参照）が設けられ、閉塞部４１ｄの内周部には案内歯４１ｆが設けられている。係合歯４１ｅ及び案内歯４１ｆは、保持部４１ｃ等の軸方向に沿って相対向した状態とされている。
【００４２】
係合歯４１ｅは、保持部４１ｃの軸方向に沿って延びる突条形状をなしており、保持部４１ｃの周方向に沿って等間隔に複数設けられている。係合歯４１ｅの先端部（下端部）には、回転リング４３（より詳しくは、回転リング４３の後述する被係合歯）が係合される被係合部分が設けられている。また、隣接する各係合歯４１ｅの間には、保持部４１ｃの軸方向に沿って延びる溝が形成されている。
【００４３】
案内歯４１ｆは、閉塞部４１ｄの周方向に沿って等間隔に複数設けられている。案内歯４１ｆは、所定の傾斜面を具備しており、当該傾斜面へと接触した回転リング４３を所定方向に回転させるという役割を有する。
【００４４】
作動軸４２は、栓蓋６を正面から見たときに当該栓蓋６の裏側に位置しており、自身の往復移動により栓蓋６を移動させるものである。作動軸４２は、円柱状をなしており、上下方向に往復移動可能な状態で保持部４１ｃ及び閉塞部４１ｄの内周に挿設されている。本実施形態における作動軸４２は、２つの棒状部品が直列的に連結されることで構成されている。より詳しくは、各棒状部品の端面中心に形成されたねじ穴のそれぞれに対し、図示しないねじ部品が螺合されることで、各棒状部品が連結されて作動軸４２が構成されている。
【００４５】
回転リング４３は、円環状をなしており、作動軸４２の外周に回転可能な状態で配設されており、また、作動軸４２の往復移動時に、作動軸４２とともに往復移動するようになっている。さらに、回転リング４３は、自身の外周面に、外側に突出する複数の被係合歯を備えている。当該被係合歯は、回転リング４３の周方向に沿って等間隔に設けられている。
【００４６】
付勢部４４は、保持部４１ｃ及び閉塞部４１ｄ内に設けられており、作動軸４２に対しその往動（上動）方向に沿った付勢力を付与するためのものである。付勢部４４は、例えば伸縮変形可能なばねによって構成されており、作動軸４２及び閉塞部４１ｄにより挟まれて圧縮変形した状態で設置されている。
【００４７】
上記のように構成された作動軸機構４は、栓蓋６の上面に対する押動により、作動軸４２を所定の上方位置にて保持すること、及び、作動軸４２を所定の下方位置にて保持することを交互に行うことが可能である。
【００４８】
より詳しくは、栓蓋６の上面に対する押動により、作動軸４２に対し下方に向けた力が加わるところ、作動軸４２が前記上方位置に配置されている状態（図４〜６に示す状態であり、排水流入口２１が開放されている状態）で栓蓋６の上面を押動すると、作動軸４２が復動（下動）して、回転リング４３の前記被係合歯が案内歯４１ｆへと接触しつつ当該案内歯４１ｆを摺動し、回転リング４３が若干回転する。このとき、回転リング４３の周方向に沿って、回転リング４３の前記被係合歯と、係合歯４１ｅの前記被係合部分との位置がほぼ合った状態となる。
【００４９】
この状態で、栓蓋６に対する押動が解除され、付勢部４４からの付勢力により作動軸４２や回転リング４３が往動（上動）すると、回転リング４３の前記被係合歯が係合歯４１ｅの前記被係合部分に係合された状態となる。その結果、作動軸４２が前記下方位置にて保持（ロック）された状態となる。
【００５０】
一方、作動軸４２が前記下方位置に配置されている状態（図３に示す状態であり、排水流入口２１が閉鎖されている状態）で栓蓋６の上面を押動すると、作動軸４２が若干だけ復動（下動）した段階で、回転リング４３の前記被係合歯が案内歯４１ｆへと接触しつつ当該案内歯４１ｆを摺動し、回転リング４３が若干回転する。このとき、回転リング４３の周方向に沿って、回転リング４３の前記被係合歯と、隣接する各係合歯４１ｅ間に形成された前記溝との位置がほぼ合った状態となる。
【００５１】
この状態で、栓蓋６に対する押動を解除し、付勢部４４からの付勢力により作動軸４２や回転リング４３が往動（上動）すると、回転リング４３の前記被係合歯が隣接する各係合歯４１ｅ間に形成された前記溝に入り込むことで、作動軸４２は前記上方位置まで往動（上動）する。その結果、作動軸４２が前記上方位置にて保持された状態となる。
【００５２】
次に、台座部５及び栓蓋６について説明する。台座部５は、栓蓋６を回動可能な状態で支持するための部品である。本実施形態における台座部５は、全体として、排水口部材２の鍔部２３の形状に対応する角丸矩形の環状をなしている。つまり、台座部５は、平面視したときに、側壁部１０２の幅方向に沿って延びる比較的長い２本の平行な長辺部分と、当該長辺部分にほぼ直交する比較的短い２本の短辺部分とを備え、これら長辺部分及び短辺部分の端部同士が湾曲状部分で連結された形状となっている。
【００５３】
また、台座部５は、排水口部材２に対し取付けられた状態となっている。つまり、台座部５は、浴槽１００に対し間接的に固定された状態となっている。尚、本実施形態においては、美観の向上などを図るべく、台座部５は前記ねじ８を覆うとともに、鍔部２３及び垂下部１０３間に入り込んだ状態で設けられている。
【００５４】
さらに、台座部５の上面には、栓蓋６の後述する回動軸部６１ａを支持するための支持部５１（図５参照）が設けられている。支持部５１は、台座部５における側壁部１０２とは反対側、つまり上述した台座部５を構成する２本の長辺部分のうち側壁部１０２とは反対側（換言すれば底壁部１０１の中心側）に位置する長辺部分に設けられている。また、支持部５１は、前記長辺部分の延びる方向に沿って間隔をあけて複数（例えば２つ）設けられている。さらに、各支持部５１は、側壁部１０２側に位置する（側壁部１０２側を向く）切欠き部分を備えることで、一部が途切れた環状をなしており、後述する回動軸部６１ａは、当該切欠き部分を通して支持部５１に対し取付及び取外可能となっている。
【００５５】
栓蓋６は、排水流入口２１を開閉するための栓であり、排水流入口２１の形状に対応する横長形状（本実施形態では平面視角丸矩形状）とされている（図１参照）。栓蓋６は、凹部１０５に対応して（本実施形態では、凹部１０５内に）配置されており、本実施形態では、排水流入口２１が閉状態であるときに、その全体が凹部１０５内に収容されるようになっている。栓蓋６は、例えば樹脂等からなる扁平状の栓蓋本体部６１と、当該栓蓋本体部６１の外縁側に取付けられた、弾性変形可能な材料からなるパッキン部６２とを有している。
【００５６】
栓蓋本体部６１は、その裏側に、側壁部１０２の幅方向に沿って延びる円柱状をなす回動軸部６１ａ（図５参照）を有しており、当該回動軸部６１ａが支持部５１に対し回動可能な状態で取付けられている。つまり、栓蓋６は、支持部５１に対し回動可能な状態で取付けられている。これにより、栓蓋６は、側壁部１０２とは反対側（底壁部１０１の中心側）を回動中心として回動可能となっている。
【００５７】
また、栓蓋本体部６１の裏面中央領域に対し作動軸４２の先端部が接触可能となっており、作動軸４２の往復移動に伴い、栓蓋６が回動して浴槽１００に対し変位するようになっている。
【００５８】
本実施形態では、作動軸４２が前記上方位置に配置されているときにおいて、栓蓋６の上面を押動して、栓蓋６を回動させつつ、作動軸４２を前記下方位置にて保持（ロック）した状態とすることで、パッキン部６２の外周部分全域が排水口部材２と接触し、その結果、排水流入口２１が閉状態とされる（図３参照）。一方、この状態で、栓蓋６の上面を押動して作動軸４２のロックを解除すると、付勢部４４からの付勢力により、栓蓋６が回動しつつ作動軸４２が前記上方位置にて保持され、さらに、パッキン部６２が排水口部材２から離間した状態となり、その結果、排水流入口２１が開状態とされる（図４〜６参照）。このように本実施形態における排水栓装置１は、栓蓋６の上面を押す度に、栓蓋６が移動して排水流入口２１の開閉状態が交互に切換わる構造（いわゆるダイレクトプッシュ）となっている。尚、排水流入口２１が開状態であるときには、栓蓋６における回動軸とは反対側の部位が凹部１０５の外に出ることとなる。
【００５９】
また、上記の通り、栓蓋６が回動することで排水流入口２１の開閉状態が切換えられるところ、本実施形態では、排水流入口２１が開状態であるときに栓蓋６（特に栓蓋６の上面）が鉛直方向に対し斜めに傾いた状態となるように構成されている。
【００６０】
さらに、栓蓋本体部６１の上面（表面）は、浴槽１００における底壁部１０１から湾曲壁部１０２ａにかけた部位の形状に対応する形状をなしている。より詳しくは、栓蓋本体部６１の上面（表面）には、底壁部１０１に対応する底壁対応面６１ｂと、湾曲壁部１０２ａに対応する湾曲壁対応面６１ｃとが設けられている。底壁対応面６１ｂは、排水流入口２１を閉状態としたときにほぼ水平となり、底壁部１０１と隣接した状態となる面である。湾曲壁対応面６１ｃは、排水流入口２１を閉状態としたときに底壁対応面６１ｂから徐々に立ち上がる形状をなし、この立ち上がり程度が底壁部１０１に対する湾曲壁部１０２ａの立ち上がり程度と同程度とされた面である。
【００６１】
加えて、栓蓋本体部６１は、排水流入口２１を閉状態としたときに、その外縁部全周が垂下部１０３（浴槽１００における凹部１０５を形成する部位）に近接した状態（例えば、垂下部１０３から２〜３ｍｍ以下だけ離れた状態）で配置されるようになっている。その結果、栓蓋本体部６１の上面（表面）形状が上記のように設定されることと相俟って、栓蓋６は、排水流入口２１が閉状態であるときに、その上面が浴槽１００の表面に対し連続面状をなすとともに、外観上浴槽１００の表面の一部を構成した状態となっている。尚、「連続面状をなす」とあるのは、厳密な連続面となる場合のみならず、浴槽１００の表面と栓蓋６の上面との間に数ｍｍ程度（例えば、２〜３ｍｍ以下程度）の段差や凹み、隙間などが存在し、両面がほぼ連続面となる場合も含む。
【００６２】
以上詳述したように、本実施形態によれば、浴槽１００における底壁部１０１から側壁部１０２（湾曲壁部１０２ａ）にかけての部位に凹部１０５が設けられており、当該凹部１０５内に排水流入口２１が設けられるとともに、当該凹部１０５に対応して栓蓋６が設置されている。従って、栓蓋６をいわば側壁部１０２（湾曲壁部１０２ａ）に入り込ませた状態で設置することができる。これにより、使用者にとって栓蓋６が邪魔になりにくい状態とすることができ、例えば、浴槽１００に“もの”（例えば持ち運び可能な洗面器など）を置く場合などに都合がよくなる。また、より優れた美観を得ることも可能となる。さらに、栓蓋６の踏み付けをより確実に防止することができ、踏み付けによる栓蓋６などの破損や変形などをより確実に防止できる。加えて、排水流入口２１に対応して設けられる配管３などの部品を作業者側（洗い場側）から見てより手前側に配置させることが可能となり、当該部品の設置やメンテナンス等に係る作業性を向上させることができる。
【００６３】
また、栓蓋６は、排水流入口２１が閉状態であるときに、凹部１０５内に収容され、かつ、その上面が浴槽１００の表面に対し連続面状をなすとともに、外観上浴槽１００の表面の一部を構成した状態となるように構成されている。これにより、非常に良好な美観を実現することができるとともに、優れた安全性を得ることができる。
【００６４】
さらに、排水流入口２１は、これを正面から見たときに、側壁部１０２の幅方向を横方向として、縦方向よりも横方向が長い横長形状をなしており、また、栓蓋６は、排水流入口２１の形状に対応する横長形状とされている。従って、排水流入口２１の通水面積を大きなものとして排水能力の増大を図りつつ、排水流入口２１や栓蓋６を円形状とした場合と比較して、排水流入口２１や栓蓋６をスリムな見た目とすることができ、栓蓋６等が目立つ存在とはなりにくい状態とすることができる。また、排水流入口２１を横長形状とすることによって、排水流入口２１を円形状とした場合と比較して、排水流入口２１の通水面積を増大させつつ、排水流入口２１に対する“もの”（例えば容器や固形石鹸など）の落下が生じにくくなる。これらの結果、排水流入口２１における通水面積を増大させて排水能力の向上を図りつつ、美観や利便性の低下をより確実に抑えることができる。
【００６５】
さらに、栓蓋６をいわば側壁部１０２（湾曲壁部１０２ａ）に入り込ませた状態で設置しつつ、栓蓋６を横長形状とすることで、栓蓋６が底壁部１０１の中心側へとより張り出さないようにすることができる。これにより、使用者にとって栓蓋６がより邪魔となりにくくなり、浴槽１００に“もの”を置く場合等においてより好都合となる。また、美観の一層の向上を図ることができるとともに、栓蓋６の踏み付けを一層確実に防ぐことが可能となる。さらに、排水流入口２１に対応して設けられる配管３などの部品を作業者側（洗い場側）から見て一層手前側に配置させることができ、当該部品の設置やメンテナンス等に係る作業性をより高めることができる。
【００６６】
加えて、栓蓋６は回動するものとされ、排水流入口２１が開状態であるときに、栓蓋６が鉛直方向に対し斜めに傾いた状態（すなわち栓蓋６の上面が水平方向に対し斜めに傾いた状態）となるように構成されている。栓蓋６が鉛直方向に対し斜めに傾いた状態となることで、栓蓋６の上面に付着した水が当該上面を伝わって流れ落ちることとなるため、栓蓋６の上面における水の残留をより確実に防止することができる。これにより、栓蓋６（栓蓋本体部６１）の上面を浴槽１００の表面形状に対応する形状としながら、栓蓋６の上面に対する水垢や汚れなどの付着をより確実に防ぐことができ、美観や衛生性の向上を図ることができる。
【００６７】
特に本実施形態では、排水流入口２１が開状態であるときに、栓蓋６が鉛直方向に対し斜めに傾いた状態となるため、栓蓋６の上面における残水防止をより効果的に図ることができる。
【００６８】
また、本実施形態において、栓蓋６は、その回動軸が側壁部１０２の幅方向に沿って延びるものとされ、かつ、側壁部１０２とは反対側を回動中心として回動するものとされている。従って、浴槽１００における底壁部１０１の中心側から見たときに、排水流入口２１が開状態であっても閉状態であっても、栓蓋６によって排水流入口２１やその周辺部位（例えば台座部５や排水口部材２）を隠した状態とすることができる。これにより、汚れなどの付着しやすい排水流入口２１の形成部位やその周辺部位を使用者が視認しにくい状態とすることができ、美観の向上をより一層図ることができる。
【００６９】
さらに、排水流入口２１を開状態とし、栓蓋６における回動軸とは反対側の部位が凹部１０５の外に出た状態では、底壁部１０１の中心側から見たときに、凹部１０５（特に栓蓋６が外に出た箇所）との間に栓蓋６が配置される状態となる。そのため、栓蓋６によって、底壁部１０１の中心部側つまり使用者の位置する側から凹部１０５ひいては排水流入口２１へと“もの”が落下することをより確実に防止できる。また、栓蓋６によって、凹部１０５に対する足（例えば足の指）の入り込みをより確実に防ぐことが可能となり、安全性を一層高めることができる。
【００７０】
尚、上記実施形態の記載内容に限定されず、例えば次のように実施してもよい。勿論、以下において例示しない他の応用例、変更例も当然可能である。
【００７１】
（ａ）上記実施形態では、底壁部１０１から湾曲壁部１０２ａにかけた部位に凹部１０５が設けられているが、湾曲壁部１０２ａのみに凹部１０５を設けることとしてもよい。尚、この場合における栓蓋本体部６１の上面は、湾曲壁部１０２ａの形状に対応する形状とされる。
【００７２】
（ｂ）上記実施形態において、栓蓋６は、排水流入口２１が閉状態であるときに、凹部１０５内に収容され、かつ、その上面が浴槽１００の表面に対し連続面状をなすとともに、外観上浴槽１００の表面の一部を構成した状態となるように構成されている。これに対し、排水流入口２１が開状態であるときに、栓蓋６が上記状態となるように構成してもよい。尚、この場合には、排水流入口２１が開状態であるときに、浴槽１００における凹部１０５を形成する部位（垂下部１０３）と栓蓋６との間に多少の隙間が形成されるように構成することで、ある程度の排水性能を確保することが好ましい。
【００７３】
（ｃ）上記実施形態では、排水流入口２１が開状態であるときに、栓蓋６が鉛直方向に対し斜めに傾いた状態となるように構成されているが、排水流入口２１が閉状態であるときに、栓蓋６がこの状態となるように構成してもよい。勿論、排水流入口２１が開状態であるとき、及び、排水流入口２１が閉状態であるときの双方において、栓蓋６が鉛直方向に対し斜めに傾いた状態となるように構成してもよい。
【００７４】
（ｄ）上記実施形態では、排水口部材２及び台座部５が別体とされているが、排水口部材及び台座部を一体としてもよい。例えば、上記実施形態における排水口部材２の上面部に支持部５１に相当する部位を設けることで、排水口部材に対し台座部が一体化されるように構成してもよい。
【００７５】
（ｅ）上記実施形態において、支持部５１はほぼ環状をなしており、当該支持部５１に対し栓蓋６の回動軸部６１ａが取付けられるように構成されているが、支持部を棒状とするとともに、栓蓋６に当該棒状の支持部が取付けられるほぼ環状部分を設けることとしてもよい。すなわち、上記実施形態における支持部５１に相当するほぼ環状部分を栓蓋６に設け、上記実施形態における回動軸部６１ａに相当する棒状部分を、台座部５に設けることとしてもよい。この場合、台座部５に設けられた棒状部分が、支持部に相当する。
【００７６】
（ｆ）上記実施形態では、栓蓋６が回動することで排水流入口２１の開閉状態が切換わるように構成されているが、例えば栓蓋６を作動軸４２の先端部に取付けること等により、栓蓋６が直線的に移動することで排水流入口２１の開閉状態が切換わるように構成してもよい。
【００７７】
また、上記実施形態では、側壁部１０２とは反対側（底壁部１０１の中心側）を回動中心として栓蓋６が回動可能とされているが、栓蓋６における回動中心を適宜変更してもよい。例えば、栓蓋６を、側壁部１０２側を回動中心として回動可能に構成してもよい。
【００７８】
（ｇ）上記実施形態において、作動軸機構４は、作動軸４２により栓蓋６を移動させる機能と、栓蓋６の裏側に作動軸４２を設置する機能とを備えているが、両機能を別々の部品によって構成し、これら部品を組合わせることで作動軸機構４を構成してもよい。
【００７９】
（ｈ）上記実施形態において、取付孔１０６は平面視長円形状をなしており、また、排水口部材２（本体部２２）は、取付孔１０６の形状に合わせた形状とされているが、取付孔１０６の形状を適宜変更してもよく、また、取付孔１０６の形状変更に合わせて排水口部材２の形状を変更してもよい。従って、例えば、取付孔１０６を平面視矩形状（角丸矩形状を含む）とし、この形状に合わせて排水口部材２（本体部２２）を矩形筒状としてもよい。
【００８０】
また、排水流入口２１の形状を適宜変更してもよく、例えば、矩形状や多角形状などをなすようにしてもよい。
【００８１】
さらに、凹部１０５や栓蓋６の形状についても適宜変形可能であり、例えば、これらの形状を平面視円形状や長円形状などとしてもよい。
【００８２】
（ｉ）栓蓋６の上面及び浴槽１００の表面における一体感をより高め、栓蓋６の上面が外観上浴槽１００の表面の一部を構成した状態をより確実に実現するために、栓蓋６の上面色と浴槽１００の表面色とを同一としてもよい。
【００８３】
（ｋ）上記実施形態では、栓蓋６（パッキン部６２）が排水口部材２に接触することで、排水流入口２１が閉状態となるように構成されているが、栓蓋６が台座部５又は浴槽１００に接触することで、排水流入口２１が閉状態となるように構成してもよい。
【００８４】
（ｌ）上記実施形態における排水栓装置１は、栓蓋６を押動することで排水流入口２１の開閉状態が切換わる構造（いわゆるダイレクトプッシュ）とされているが、必ずしもこの構造である必要はない。従って、例えば、浴槽１００に対し変位可能な操作部（例えば操作ボタンや操作ハンドルなど）と、当該操作部の変位による駆動力を作動軸４２に伝達する伝達部材（例えばワイヤ等）とを設け、前記操作部を操作しこれを変位させることで、前記伝達部材及び作動軸４２が移動し、ひいては排水流入口２１の開閉状態が切換わるように構成してもよい。
【００８５】
また、栓蓋６を移動させるための機構（例えば作動軸４２等）を設けることなく、栓蓋６を手動により回動することで、排水流入口２１の開閉状態を切換えるように構成してもよい。この場合には、排水流入口２１を開状態又は閉状態としたときに、栓蓋６の回動を規制して栓蓋６を一定位置にて保持するための保持機構を設けることとしてもよい。さらに、栓蓋６を凹部１０５にて単に載置される構成とし、手動により栓蓋６を凹部１０５に設置したり凹部１０５から取外したりすることができるように構成してもよい。
【００８６】
（ｍ）上記実施形態において、排水流入口２１は、排水口部材２の内側開口により形成されているが、例えば排水口部材２を設けない場合には、浴槽１００に貫通形成された孔（例えば取付孔１０６のような孔）の開口により排水流入口を構成してもよい。また、台座部５の内側開口によって排水流入口を構成してもよい。
【００８７】
（ｎ）上記実施形態では、槽体として浴槽１００を例示しているが、本発明の技術思想を適用可能な槽体は浴槽に限定されるものではない。従って、例えば、洗面ボウルやキッチンの流し台などの浴槽以外の槽体に対し本発明の技術思想を適用してもよい。
【００８８】
尚、槽体が洗面ボウル（洗面器）であり、排水流入口が使用者側から見て奥側又は左右側に位置する場合には、本発明の技術思想を適用し、排水流入口及び栓蓋をいわば側壁部（湾曲壁部）に入り込ませた状態とすることで、洗面ボウルの下に位置し排水流入口に対応して設けられる配管などの部品を洗面ボウル下のスペースにおいてより邪魔となりにくい位置に配置することができる。これにより、当該スペースをより有効的に活用することができる。
【符号の説明】
【００８９】
１…排水栓装置、５…台座部、６…栓蓋、２１…排水流入口、４２…作動軸、５１…支持部、１００…槽体（浴槽）、１０１…底壁部、１０２…側壁部、１０２ａ…湾曲壁部、１０５…凹部。
【図１】
2020204199.tif 000003
【図２】
2020204199.tif 000004
【図３】
2020204199.tif 000005
【図４】
2020204199.tif 000006
【図５】
2020204199.tif 000007
【図６】
2020204199.tif 000008